(57)【要約】【課題】２軸回転可能な携帯用無線端末機のヒンジ装置を提供する。【解決手段】第１ハウジングと、第２ハウジングと、第１ヒンジ軸線と、第２ヒンジ軸線とを提供する携帯用無線端末機のヒンジ装置において、  第１ヒンジベースと、第２ヒンジベースを備える第１ヒンジモジュール；及び前記第２ハウジングに固定され、前記第２ハウジングが前記第１ヒンジ軸線に対して回転可能となるように前記第２ハウジングと前記第２ヒンジベースを連結させる第２ヒンジモジュールを備え、前記第１ヒンジベースは、前記第１ハウジング上に固定される固定プレート；及び、前記固定プレート上に固定され、前記第２ヒンジベースの下端面と対向する圧着面が形成されたベースプレートを備えることを特徴とする携帯用無線端末機のヒンジ装置を提供する。【選択図】図１
2008014497.tif 000002
【特許請求の範囲】
【請求項１】
第１ハウジングと、前記第１ハウジングから離れるか近づく方向に前記第１ハウジングに回転可能に連結される第２ハウジングと、前記第２ハウジングを前記第１ハウジングから離れるか近づく方向に回転可能に連結させるために、前記第１ハウジングの上面に平行に延長された第１ヒンジ軸線を提供すると同時に、前記第１ハウジングの上面に対して垂直方向に延長されて前記第１ヒンジ軸線の回転中心となる第２ヒンジ軸線と、を提供する携帯用無線端末機のヒンジ装置において、
前記第１ハウジングに固定結合される第１ヒンジベースと、前記第１ヒンジベースと相対向する状態で回転可能に結合されて前記第２ヒンジ軸線に対して回転する第２ヒンジベースを備える第１ヒンジモジュール；及び
前記第２ハウジングに固定され、前記第２ハウジングが前記第１ヒンジ軸線に対して回転可能となるように前記第２ハウジングと前記第２ヒンジベースを連結させる第２ヒンジモジュールを備え、
前記第１ヒンジベースは、
前記第１ハウジング上に固定される固定プレート；及び、前記固定プレート上に固定され、前記第２ヒンジベースの下端面と対向する圧着面が形成されたベースプレートを備えることを特徴とする携帯用無線端末機のヒンジ装置。
【請求項２】
前記第１ヒンジベースの固定プレートとベースプレートを同時に貫通する第１貫通孔が形成され、
前記第２ヒンジベースは、前記第２ヒンジ軸線方向に延長されたシリンダー形状であり、その中心部には前記第１貫通孔と第２ヒンジ軸線上に同軸線で整列される第２貫通孔が形成され、
前記第１ヒンジモジュールは、
前記第２ヒンジベースの上端に支持されるフランジと、前記フランジから延長されて前記第１貫通孔を通ってその端部が前記固定プレートとベースプレートとの間に突出され、その端部外周面に円周方向に沿って締付溝が形成された支持シャフトが形成されたヒンジカプラーと；前記ベースプレートの下端で前記支持シャフトの締付溝に結合されるスナップリングをさらに備えることを特徴とする請求項１に記載の携帯用無線端末機のヒンジ装置。
【請求項３】
前記第２ヒンジベースの下端面に円周方向に沿って等角度間隔に形成される少なくとも一つ以上のバネ孔；前記バネ孔に収容される圧縮バネの弾性力により前記バネ孔の端部に出没可能にそれぞれ安着される少なくとも一つ以上のボール；及び、前記ベースプレートの圧着面に円周方向に沿って等角度間隔に形成されて前記それぞれのボールと選択的に噛み合う少なくとも一つ以上の溝をさらに備えることを特徴とする請求項１に記載の携帯用無線端末機のヒンジ装置。
【請求項４】
前記第２ヒンジベースの下端に形成されて前記ベースプレートが回転可能に収容される受け溝；前記ベースプレートの外周面に突出形成された第１結合突起；及び、前記受け溝の一側壁に形成されて前記第２ヒンジベースが回転することによって前記第１結合突起に噛み合い前記第２ヒンジベースの回転範囲を制限する第２結合突起をさらに備えることを特徴とする請求項１に記載の携帯用無線端末機のヒンジ装置。
【請求項５】
前記第２ヒンジベースの外周面の所定位置に形成されて前記第２ヒンジモジュールとの結合手段を提供する結合溝をさらに備えることを特徴とする請求項１に記載の携帯用無線端末機のヒンジ装置。
【発明の詳細な説明】
【技術分野】
【０００１】
本発明は、携帯用無線端末機に関し、特に、２軸回転可能な携帯用無線端末機のヒンジ装置に関する。
【背景技術】
【０００２】
通常、“携帯用無線端末機”とは、使用者が持ち歩きながら相手側と無線通信をできる装置のことをいう。かかる携帯用無線端末機は、その外形によって、バー型(bar-type)、フリップ型(flip-type)または折り畳み型(folder-type)の端末機に分類される。バー型端末機は、単一ハウジングがバー型に構成されたものを意味し、フリップ型端末機は、バー型のハウジングに、ヒンジ装置によりフリップやカバーが回転可能に取り付けられた構成のものを意味し、折り畳み型端末機は、単一のバー型ハウジングにフォルダがヒンジ装置により折り畳み可能に連結された構成のものを意味する。
【０００３】
また、携帯用無線端末機は、開閉方式によって回転型(rotation-type)とスライド型(sliding-type)に分類されることもある。回転型端末機は、二つのハウジングが相対向する状態で回転可能に連結されて開閉されるものであり、スライド型端末機は、二つのハウジングのいずれか一つのハウジングがもう一つのハウジングに相対向した状態で縦方向に摺動しながら開閉されるものを意味する。このように様々に分類された携帯用無線端末機は、当分野で通常の知識を持つ者なら容易に理解できる。
【０００４】
一方、これら従来の携帯用無線端末機は、必ずアンテナ装置、データ入出力装置、データ送受信装置を具備する必要がある。通常、前記データ入力装置は、指で押す動作によりデータ入力ができるキーパッドが主に使用され、タッチパッドやタッチスクリーンが使用されることもある。また、データ出力装置はＬＣＤが主に使用される。
【０００５】
データ入力のために使用するキーパッドは、多数のキーが配列されてなり、これらのキーは、数字キー、文字キー、送信(SEND)キー、終了(END)キー、機能キーなどで構成される。また、前記キーは、通常、携帯用無線端末機のハウジング上面に１５ないし２０個程度が適所に配列され、上面から露出されているため、使用者は指で必要なキーを押し所望のデータを入力する。尚、画像通話のために従来の携帯用無線端末機は撮影手段であるカメラレンズを具備し、これを用いて相手側と画像通話をしたり、所望の被写体を撮る。
【０００６】
しかし、端末機を選択する使用者のテイスト(taste)は多様化しつつあり、情報化に対する使用者の欲求も急速に増加する一方である。また、端末機にカメラレンズなど様々な付加装置が追加されているにもかかわらず、データ出力手段であるディスプレー装置は、依然として固定式に装着されるか、一方向にのみ回転可能に装着されるのが一般的であるため、撮影または画像通話のさい不便な姿勢を取らざるを得ない。しかも、新しいデザイン概念を追求する端末機が提示されているが、それを商用化するための具体的な具現方案が十分に用意されていないのが実情である。
【発明の開示】
【発明が解決しようとする課題】
【０００７】
上記の問題点を解決するために、本発明は、多様化しつつある使用者のテイストと欲求に応えられる携帯用無線端末機のヒンジ装置を提供することにその目的がある。
【０００８】
本発明の他の目的は、カメラレンズの撮影方向とディスプレー装置の画像表示方向を適宜調節することが容易で、使い勝手が便利な携帯用無線端末機のヒンジ装置を提供することにある。
【課題を解決するための手段】
【０００９】
上記の目的を達成するために、本発明は、第１ハウジングと、前記第１ハウジングから離れるか近づく方向に前記第１ハウジングに回転可能に連結される第２ハウジングと、前記第２ハウジングを前記第１ハウジングから離れるか近づく方向に回転可能に連結させるために、前記第１ハウジングの上面に平行に延長された第１ヒンジ軸線を提供すると同時に、前記第１ハウジングの上面に対して垂直方向に延長されて前記第１ヒンジ軸線の回転中心となる第２ヒンジ軸線と、を提供する携帯用無線端末機のヒンジ装置において、前記第１ハウジングに固定結合される第１ヒンジベースと、前記第１ヒンジベースと相対向する状態で回転可能に結合されて前記第２ヒンジ軸線に対して回転する第２ヒンジベースとを備える第１ヒンジモジュール；及び、前記第２ハウジングに固定され、前記第２ハウジングが前記第１ヒンジ軸線に対して回転可能となるように前記第２ハウジングと前記第２ヒンジベースを連結させる第２ヒンジモジュールを備えてなることを特徴とする携帯用無線端末機のヒンジ装置を提供する。
【発明の効果】
【００１０】
本発明に係る携帯用端末機のヒンジ装置は、前記第１ハウジングの上面に水平に延長される第１ヒンジ軸線と、前記第１ハウジングの上面に垂直方向に延長されながら前記第１ヒンジ軸線の回転中心となる第２ヒンジ軸線を提供することによって、前記第１ハウジングに回転可能に結合された第２ハウジングが２軸回転可能になり、第２ハウジングの前・背面が反転された状態に第１ハウジングに折り畳ませるなど、様々な角度に位置させることができる。また、本発明に係る携帯用端末機のヒンジ装置は、第２ハウジングの様々な開閉動作を可能にするので、使い勝手が便利で、多様化しつつある使用者のテイストを充足させることができる。
【発明を実施するための最良の形態】
【００１１】
以下、本発明の好ましい実施例を添付図面を参照しつつ詳細に説明する。
下記の本発明の詳細な説明において、関連した周知技術については適宜説明を省略し、図面中、同一の構成要素には同一番号または符号を共通使用するものとする。
【００１２】
本発明の好ましい第１実施例に係る携帯用無線端末機のヒンジ装置は、図１ないし図６に示すように、第１ヒンジベース１０１と第２ヒンジベース１０２が相対向する状態で回転可能に結合されて第２ヒンジ軸線Ａ２を提供する第１ヒンジモジュール１００と、前記第１ヒンジモジュール１００の一側に回転可能に結合されて第１ヒンジ軸線Ａ１を提供する第２ヒンジモジュール２００と、を具備する。このように構成されたヒンジ装置は、携帯用無線端末機の第１ハウジング１１(図８)と、該第１ハウジング１１に対向する状態に折り畳まれる第２ハウジング１２とを２軸回転可能に結合させる。前記第１ヒンジ軸線Ａ１は前記第１ハウジング１１の上面に平行に延長され、前記第２ハウジング１２が第１ヒンジ軸線Ａ１に対して回転することによって前記第１ハウジング１１から離れたり近づいたりする方向に回転する。前記第２ヒンジ軸線Ａ２は、前記第１ハウジング１１の上面と垂直になる方向に延長される。このため、前記第２ヒンジ軸線Ａ２は前記第１ヒンジ軸線Ａ１と垂直をなす方向に延長され、前記第１ヒンジ軸線Ａ１は前記第２ヒンジ軸線Ａ２を中心に回転するようになる。前記第２ハウジング１２は前記第２ヒンジ軸線Ａ２に対して回転することによって、前記第１ハウジング１１と対向して回転する。
【００１３】
前記第１ヒンジベース１０１は、前記第１ハウジング１１の一端部に近接する内側面に固定され、前記第１ハウジング１１の上面からその上端が突出される。前記第１ヒンジベース１０１は、前記第２ヒンジ軸線Ａ２方向に延長された第１貫通孔１１３を備えたシリンダー状のボディー１１１と、該ボディー１１１の下端部の外周から半径方向に延され、その円周方向に沿って少なくとも一つ以上の締付孔が形成されたリブ１１７と、を具備する。この第１ヒンジベース１０１は、ねじ１９３などの締付手段により前記第１ハウジング１１の内側面に締付けられる。前記ボディー１１１の上端部は、前記第１ハウジング１１の上面に露出され、その上端面には少なくとも１対以上のバネ孔１１５が形成される。これらのバネ孔１１５は、前記ボディー１１１の上端面の円周方向に沿って等角度間隔に形成される。前記バネ孔１１５にはそれぞれ圧縮バネ１９５が実装され、その端部にボール１９７が安着される。これらボール１９７は前記圧縮バネ１９５の弾性力によって前記バネ孔１１５に対して出没可能になる。前記ボール１９７は、前記第２ヒンジベース１０２の内側面上で摺動することになるが、この時、弾性力が均一に作用するように前記バネ孔１１５はお互い対称となる位置に設けられると好ましい。
【００１４】
前記第２ヒンジベース１０２は、下端が完全開放端で構成され、上端は一部開放端で構成された回転体１２１を備える。該回転体１２１は、前記第２ヒンジ軸線Ａ２方向に延長された第２貫通孔１２７を備える。前記第１ヒンジベース１０１は、前記第２ヒンジベース１０２の完全開放端側から嵌められることによって組立てられ、組立てられた状態で前記第１貫通孔１１３と第２貫通孔１２７が同軸線に整列される。すなわち、前記第１ヒンジベース１０１と第２ヒンジベース１０２が組立てられると、前記第１貫通孔１１３と第２貫通孔１２７は一直線に整列されるのである。前記第２ヒンジベース１０２の一部開放端側の外周面には、半径方向に突出され、円周方向に沿って延設された締付部１２３ａが形成される。この締付部１２３ａには少なくとも一つ以上の締付孔１２３ｂが形成されて締付手段として機能する。
【００１５】
前記第２ヒンジベース１０２の一部開放端の内側面には、前記ボール１９７の形状に相応する所定深さの溝(図示せず)が円周方向に沿って等角度間隔に形成される。これは、前記第２ヒンジベース１０２が回転するにあたり、前記ボール１９７と溝が対向する位置で前記第２ヒンジベース１０２の回転を止めるためである。つまり、前記圧縮バネ１９５の弾性力により前記ボール１９７が前記溝に噛み合うと前記第２ヒンジベース１０２の回転が止まるのである。
【００１６】
また、ヒンジカプラー１０３は、前記第２ヒンジベース１０２の上端面に支持されるフランジ１３３と、前記フランジ１３３から第２ヒンジ軸線Ａ２方向に延長され、前記第１及び第２貫通孔１１３、１２７を通過して延設される支持シャフト１３１と、前記支持シャフト１３１の端部外周面に円周方向に沿って形成される締付溝１３５と、から構成される。前記締付溝１３５が前記第１ヒンジベース１０１の下端から突出され、スナップリング１３９を嵌め付けると、前記ヒンジカプラー１０３により前記第１ヒンジベース１０１と第２ヒンジベース１０２が相対向する状態で回転可能に結合される。前記フランジ１３３は前記第２ヒンジベース１０２と一体型に構成してもいい。
【００１７】
一方、前記第２ヒンジベース１０２の上端面には所定の受け溝が形成される。該受け溝は、カメラレンズ１５１を収容するための第１受け溝１２５ａと、該第１受け溝１２５ａに比べて浅く形成されて所定のキーパッドを収容する第２受け溝１２５ｂとから構成される。実施例によってカメラレンズ１５１またはキーパッドだけを収容する一つの溝で構成してもいい。前記カメラレンズ１５１またはキーパッドと前記第１ハウジング１１に収容されるＲＦボード(RF board)(図示せず)との電気的接続のために、前記ヒンジカプラー１０３に前記第２ヒンジ軸線Ａ２方向に延長されるガイド孔１３７を形成して可撓性印刷回路などが通る経路を提供することができる。前記キーパッドは、少なくとも１対以上のドーム(dome)スイッチ１６３が対称となるように配列され、前記カメラレンズ１５１の露出のための第１開口１６１を具備するスイッチパッド１０６と、前記ドームスイッチ１６３の操作を可能にするキーボタン１０７とから構成される。前記キーボタン１０７には、前記第１開口１６１と一直線に整列されて前記カメラレンズ１５１を露出させる第２開口１７１が形成される。前記カメラレンズ１５１、キーパッドなどが汚れるのを防止するために、前記第２開口１７１は透明材質のウィンドウ１９１で密閉されるのが好ましい。
【００１８】
前記第２ハウジング１２は、前記第１ヒンジ軸線Ａ１に対して回転可能となるように前記第２ヒンジベース１０２に結合される。この時、前記第２ハウジング１２と第２ヒンジベース１０２との間において円筒形の回転性ヒンジハウジング１０４が結合手段として機能する。
【００１９】
この回転性ハウジング１０４は、円筒形状に構成され、一側の外周面に結合孔１４５が形成され、他側の外周面にはヒンジダミー１４３ａが延設される。前記結合孔１４５とヒンジダミー１４３ａは、前記第１ヒンジ軸線Ａ１上に位置する。前記ヒンジダミー１４３ａには、その端部から前記回転性ハウジング１０４の内周面を貫通するダミー孔１４３ｂが形成される。このダミー孔１４３ｂを通じて、前記第１ハウジング１１と第２ハウジング１２に内蔵される電気回路間の電気的接続を提供する可撓性印刷回路(図示せず)が配線される。
【００２０】
前記回転性ハウジング１０４の一端部の内側に所定形状の締付具１４９が設けられて前記第２ヒンジベース１０２が締付けられ、一端に形成される開口１４１から前記第２ヒンジベース１０２上端のキーボタン１０７及びウィンドウ１９１を露出させる。前記回転性ハウジング１０４は、前記第２ハウジング１２の一端部に形成された半円型の開口に回転可能に結合される。また、前記回転性ハウジング１０４は前記第２ヒンジベース１０２と一体型に製作してもいい。
【００２１】
前記第２ヒンジモジュール２００は、前記第２ハウジング１２に収容されて前記第２ハウジング１２を前記第１ヒンジモジュール１００に回転可能に結合させる。図１ないし図３を参照すれば、前記第２ヒンジモジュール２００は、モジュールハウジング２０１、ヒンジシャフト２０２、ストッパーブロック２０３、圧縮バネ２０４及びキャップ２０５を備える。
【００２２】
前記モジュールハウジング２０１は、一端が開放端で構成され、前記開放端から一側面の長手方向に延長されたスロット２１１が形成される。このスロット２１１を通じて前記ヒンジシャフト２０２が組立てられる。
【００２３】
前記ヒンジシャフト２０２は、前記モジュールハウジング２０１に収容されて前記第１ヒンジ軸線Ａ１に対して回転可能になる。前記ヒンジシャフト２０２の一端には前記スロット２１１を通して前記モジュールハウジング２０１の外側に突出されるヒンジ突起２２１を備え、前記モジュールハウジング２０１内に位置するボディーの外周面には前記第１ヒンジ軸線Ａ１方向に延長されたストッパー溝２２３が形成される。前記ヒンジ突起２２１は前記回転性ハウジング１０４の結合孔１４５に嵌合される。前記ストッパー溝２２３は少なくとも二つ以上が等角度間隔に形成されると好ましい。
【００２４】
前記ストッパーブロック２０３は、前記ヒンジシャフト２０２のストッパー溝２２３に相応するストッパー突起２３１を備える。前記ストッパーブロック２０３は、前記圧縮バネ２０４からの弾性力によって前記ヒンジシャフト２０２の外周面を加圧し、前記ストッパー突起２３１が前記ヒンジシャフト２０２のストッパー溝２２３に噛み合う位置で前記ヒンジシャフト２０２の回転が止まる。
【００２５】
前記キャップ２０５は、前記モジュールハウジング２０１の開放端を密閉しながら、前記圧縮バネ２０４の一端を支持する。
【００２６】
前記第２ヒンジモジュール２００が前記第２ハウジング１２の一側に固定され、前記モジュールハウジング２０１内で回転可能に収容されたヒンジシャフト２０２のヒンジ突起２２１が前記回転性ハウジング１０４の一側に支持される。前記回転性ハウジング１０４のヒンジダミー１４３ａは前記第２ハウジング１２の他側に支持され、これにより前記第２ハウジング１２が第１ヒンジ軸線Ａ１に対して回転可能になる。
【００２７】
次に、以上のように構成されたヒンジ装置が備えられた携帯用無線端末機の開閉動作を、図７ないし図１４を参照して説明する。
【００２８】
図７および図８は、それぞれ、前記端末機の第１ハウジング１１に第２ハウジング１２が折り畳まれた状態を示す平面図および側面図である。前記第２ハウジング１２が前記第１ハウジング１１に折り畳まれた状態で、前記第２ハウジング１２が前記第１ヒンジ軸線Ａ１に対して回転すると、図９および図１０に示すように、前記第１ハウジング１１は第２ハウジング１２から離れて位置する。
【００２９】
前記第１ハウジング１１と第２ハウジング１２が互いに離れて位置した状態で、前記第２ハウジング１２が前記第２ヒンジ軸線Ａ２に対して９０°回転した状態が、図１１に示されている。また、前記第１ハウジング１１と第２ハウジング１２が折り畳まれた状態で、前記第２ハウジング１２が前記第１ヒンジ軸線Ａ１に対して９０°回転した状態が図１２に示されている。
【００３０】
図１１に示した状態で、前記第２ハウジング１２が第１ヒンジ軸線Ａ１に対して９０°回転したり、図１２に示した状態で、前記第２ハウジング１２が第２ヒンジ軸線Ａ２に対して９０°回転した状態が、図１３および図１４に示されている。
【００３１】
図７ないし図１４に示すように、前記第２ハウジング１２は、前記第１及び第２ヒンジ軸線Ａ１、Ａ２それぞれに対して回転可能に構成されるので、前記第１ハウジング１１と様々な角度をなす位置に停止することができる。また、示さぬが、図９のように第２ハウジング１２が位置した状態で、前記第２ハウジング１２が第２ヒンジ軸線Ａ２に対して１８０°回転すると、前記第２ハウジング１２は前・背面が反転された状態で前記第１ハウジング１１に折り畳まれる。
【００３２】
図１５ないし図１７は本発明の好ましい第２実施例に係る携帯用無線端末機のヒンジ装置を示す図である。図１５ないし図１７に示すように、本発明の好ましい第２実施例に係る携帯用無線端末機のヒンジ装置は、端末機の上面に垂直方向に延長された第２ヒンジ軸線Ａ２を提供する第１ヒンジモジュール３００と、前記端末機の上面と平行に延長された第１ヒンジ軸線Ａ１を提供する第２ヒンジモジュール２００と、を備える。前記第１ヒンジ軸線Ａ１と第２ヒンジ軸線Ａ２はお互い直交し、特に、前記第１ヒンジ軸線Ａ１は前記第２ヒンジ軸線Ａ２を中心に回転する。
【００３３】
前記第１ヒンジモジュール３００は、端末機の第１ハウジングに固定される第１ヒンジベースと、この第１ヒンジベースと相対向する状態で回転可能に結合される第２ヒンジベース３０３とを備え、前記第１ヒンジベースは、前記第１ハウジングの内側に固定される固定プレート３０１と前記第１ハウジングの外側で前記固定プレート３０１に固定されるベースプレート３０２とからなる。
【００３４】
前記固定プレート３０１とベースプレート３０２は、それぞれ締付孔を備えて第１ハウジングを挟んで対向する位置でねじ３９３などにより締付けられ、前記第２ヒンジ軸線Ａ２上に整列される第１貫通孔３１１、３２５をそれぞれ有する。
【００３５】
前記ベースプレート３０２の一面には、前記第２ヒンジベース３０３と対向する安着面３２１が形成される。該安着面３２１には等角度間隔に所定深さの溝３２３ａが形成され、円周方向にそれらの溝３２３ａを通るスライド溝３２３ｂが形成される。前記ベースプレート３０２の外周面には半径方向に突出された第１結合突起３２７が形成される。
【００３６】
前記第２ヒンジベース３０３は、回転体３３１の下端に前記ベースプレート３０２が収容される受け溝３３９ａを備え、前記安着面３２１に対向する位置にバネ孔３３８が形成される。このバネ孔３３８は前記ベースプレート３０２のスライド溝３２３ｂに対応し、圧縮バネ３９５の弾性力により出没可能に安着されるボール３９７が前記バネ孔３３８の端部に設けられる。したがって、前記第２ヒンジベース３０３が回転すると、前記ボールは前記圧縮バネ３９５の弾性力により前記スライド溝３２３ｂに沿って摺動し、前記ボール３９７が前記ベースプレート３０２の溝３２３ａに噛み合うと、前記第２ヒンジベース３０３の回転が停止する。前記受け溝３３９ａの一側壁には前記第１結合突起３２７と噛み合う第２結合突起３３９ｂが設けられる。前記第１結合突起３２７と第２結合突起３３９ｂが噛み合うことによって、前記第２ヒンジベース３０３の回転範囲は制限される。
【００３７】
前記第２ヒンジベース３０３は、前記第２ヒンジ軸線Ａ２方向に延長されて前記固定プレート３０１及びベースプレート３０２それぞれに形成された第１貫通孔３１１、３２５と一直線上に整列される第２貫通孔３３３を備える。また、前記第２ヒンジベース３０３の外周面には、第２ヒンジモジュール２００との結合のための結合孔３３５とダミー孔３３７が前記第１ヒンジ軸線Ａ１上に形成される。前記ダミー孔３３７は、前記第２ヒンジベース３０３の外周面から前記第２貫通孔３３３まで延設される。要するに、第１実施例では別途構成された第２ヒンジベースと円筒形の回転性ヒンジハウジングが、本実施例では一体型に構成されたのである。
【００３８】
前記第２ヒンジベース３０３はヒンジカプラー３０４により前記ベースプレート３０２に回転可能に結合される。
【００３９】
前記ヒンジカプラー３０４は、前記第２ヒンジベース３０３の上端面に支持されるフランジ３４３と、前記フランジ３４３から第２ヒンジ軸線Ａ２方向に延設されて前記第１及び第２貫通孔３１１、３２５、３３３を通って延長される支持シャフト３４１ａと、前記支持シャフト３４１ａの端部外周面に円周方向に沿って形成される締付溝３４５と、から構成される。前記支持シャフト３４１ａは、前記第２ヒンジ軸線Ａ２方向に延長されたガイド孔３４７を備え、前記支持シャフト３４１ａの一端に形成されたスロット３４１ｂを通じて前記第２ヒンジベース３０３のダミー孔３３７と連通される。したがって、前記ガイド孔３４７、スロット３４１ｂ及びダミー孔３３７を通じて可撓性印刷回路１９などが配線される。
【００４０】
前記締付溝３４５が前記第１ヒンジベース３０１、３０２の下端、具体的には前記ベースプレート３０２の下端から突出され、スナップリング３４９ａが嵌め付けられると、前記ヒンジカプラー３０４により前記第１ヒンジベース３０１、３０２と第２ヒンジベース３０３が相対向した状態で回転可能に結合される。前記ベースプレート３０２とスナップリング３４９ａとの間にはワッシャ３４９ｂなどがさらに結合され、回転を円滑にし、摩耗を防ぐことができる。前記第２ヒンジベース３０３とベースプレート３０２が前記ヒンジカプラー３０４により結合されることによって、前記第１ヒンジモジュール３００は端末機の第１ハウジングの上面に垂直方向に延長された第２ヒンジ軸線Ａ２を提供する。
【００４１】
前記第２ヒンジモジュール２００は、前記第２ヒンジベース３０３に結合されるヒンジ突起２２１ｂがプレート状に構成される以外は、第１実施例と略同一に構成される。図１７を参照すれば、前記ヒンジ突起２２１ｂは前記第２ヒンジベース３０３内でねじ３９３などでより堅固に固定される。
【００４２】
以上、本発明の詳細な説明では具体的な実施例に上げて説明してきたが、本発明の思想を外れない範囲内で様々な変形が可能であることは、当分野で通常の知識を持つ者にとって自明であろう。
【図面の簡単な説明】
【００４３】
【図１】本発明の好ましい第１実施例に係る携帯用無線端末機のヒンジ装置を示す分離斜視図である。
【図２】図１に示したヒンジ装置を他の角度から見た様子を示す分離斜視図である。
【図３】図１に示した第２ヒンジモジュールを示す分離斜視図である。
【図４】図１に示したヒンジ装置を示す組立断面図である。
【図５】図３に示した第２ヒンジモジュールを示す組立断面図である。
【図６】図１に示したヒンジ装置が携帯用無線端末機に組立てられた状態示す図である。
【図７】図１に示したヒンジ装置を備える携帯用無線端末機の開閉動作を説明するための図である。
【図８】図１に示したヒンジ装置を備える携帯用無線端末機の開閉動作を説明するための図である。
【図９】図１に示したヒンジ装置を備える携帯用無線端末機の開閉動作を説明するための図である。
【図１０】図１に示したヒンジ装置を備える携帯用無線端末機の開閉動作を説明するための図である。
【図１１】図１に示したヒンジ装置を備える携帯用無線端末機の開閉動作を説明するための図である。
【図１２】図１に示したヒンジ装置を備える携帯用無線端末機の開閉動作を説明するための図である。
【図１３】図１に示したヒンジ装置を備える携帯用無線端末機の開閉動作を説明するための図である。
【図１４】図１に示したヒンジ装置を備える携帯用無線端末機の開閉動作を説明するための図である。
【図１５】本発明の好ましい第２実施例に係る携帯用無線端末機のヒンジ装置を示す分離斜視図である。
【図１６】図１５に示したヒンジ装置を他の角度から見た様子を示す分離斜視図である。
【図１７】図１５に示したヒンジ装置が端末機に組立てられた状態を示す組立斜視図である。
【符号の説明】
【００４４】
１１  第１ハウジング
１２  第２ハウジング
１００  第１ヒンジモジュール
１０１  第１ヒンジベース
１０２  第２ヒンジベース
１０３  ヒンジカプラー
１０６  スイッチパッド
１０７  キーボタン
１１３  第１貫通孔
１１５，３３８  バネ孔
１２７  第２貫通孔
１３３  フランジ
１３７  ガイド孔
１３９  スナップリング
１５１  カメラレンズ
１６１  第１開口
１９７，３９７  ボール
２００  第２ヒンジモジュール
２０１  モジュールハウジング
２０２  ヒンジシャフト
２０３  ストッパーブロック
２２３  ストッパー溝
２３１  ストッパー突起
３０１  固定プレート
３０２  ベースプレート
３０４  ヒンジカプラー
３１１  第１貫通孔
３２５  第２貫通孔
３２３ｂ  スライド溝
３４１ａ  支持シャフト
３４９ａ  スナップリング
Ａ１  第１ヒンジ軸線
Ａ２  第２ヒンジ軸線
【図１】
2008014497.tif 000003
【図２】
2008014497.tif 000004
【図３】
2008014497.tif 000005
【図４】
2008014497.tif 000006
【図５】
2008014497.tif 000007
【図６】
2008014497.tif 000008
【図７】
2008014497.tif 000009
【図８】
2008014497.tif 000010
【図９】
2008014497.tif 000011
【図１０】
2008014497.tif 000012
【図１１】
2008014497.tif 000013
【図１２】
2008014497.tif 000014
【図１３】
2008014497.tif 000015
【図１４】
2008014497.tif 000016
【図１５】
2008014497.tif 000017
【図１６】
2008014497.tif 000018
【図１７】
2008014497.tif 000019